(57)【特許請求の範囲】
【請求項１】
牽引車によって牽引され、移動しながら競技場の整地を行う整地器具であって、
競技場の土や砂を掻いて均す複数の突起体を備える枠体と、
前記枠体上を覆い、前記複数の突起体によって舞い上げられる土又は砂の拡散を防止するシートと、
前記複数の突起体によって舞い上げられる土又は砂の細粒成分が牽引に伴って発生する風によって運ばれていく先である前記枠体の後端側に備えられ前記細粒成分を回収する回収箱と、を有することを特徴とする整地器具。
【請求項２】
前記シートは、前記枠体後方に設けられる支持フレームにより前記枠体の前方側より後方側が高くなり、後端部が下方に延長されて所定の空間を形成するように設置され、
前記シートの後端部には移動に伴い前記シートの下方の空気を後方に排出する開口部と開口部を覆うフィルターとを備えることを特徴とする請求項１に記載の整地器具。
【請求項３】
前記回収箱は前記シートの後端部の下縁を跨ぐように設置され、前記シートの下方で舞い上げられた細粒成分と、前記シートの後端部のフィルターを通過した後舞い降りる細粒成分とを合わせて回収することを特徴とする請求項２に記載の整地器具。
【請求項４】
前記回収箱は、前記シートの後端部に対し所定の間隙をもって延在される後面壁を有することを特徴とする請求項３に記載の整地器具。
【請求項５】
競技場の整地を行う整地器具に使用する整地器具用シートであって、
ＪＩＳ  Ｌ１０９２：２００９はっ水度試験（スプレー試験）に準じた試験で４級以上の撥水性能と、
砂塵付着試験（小松ＪＲＡ法）にて４級以上の砂の付きにくさと、を有し、
前記整地器具用シートは、摩耗輪：Ｎｏ．ＣＳ−１７、荷重：９．８Ｎを用いたＪＩＳ  Ｌ１０９６：２０１０摩耗強さＣ法（テーバ形法）に準じた試験で、３００回の試験後に穴あきが確認されないことを特徴とする整地器具用シート。
【請求項６】
前記整地器具用シートは、繊維布帛であり、素材がポリエステルからなることを特徴とする請求項５に記載の整地器具用シート。
【請求項７】
前記整地器具用シートは、表面に撥水剤と架橋剤とが存在することを特徴とする請求項５又は６に記載の整地器具用シート。
【請求項８】
前記整地器具用シートは、ＫＥＳ法によるシートの表面粗さの平均偏差が経方向、緯方向ともに０．３μｍ以上５．０μｍ以下であることを特徴とする請求項５乃至７のいずれか１項に記載の整地器具用シート。
【請求項９】
前記整地器具用シートは、摩擦帯電圧が経方向、緯方向ともに１０００Ｖ以下であることを特徴とする請求項５乃至８のいずれか１項に記載の整地器具用シート。
【請求項１０】
牽引車によって牽引され、移動しながら競技場の整地を行う整地器具であって、
競技場の土や砂を掻いて均す複数の突起体を備える枠体と、
前記枠体上を覆うシートと、
牽引される前記枠体の後端側に備えられ前記複数の突起体によって舞い上げられる土又は砂の細粒成分を回収する回収箱と、を有し、
前記シートは請求項５乃至９のいずれか１項に記載の整地器具用シートであることを特徴とする整地器具。
【発明の詳細な説明】
【技術分野】
【０００１】
本発明は、整地器具及び整地器具用シートに関し、特に競技場の土や砂を突起体にて掻いて均す際に発生する砂塵の細粒成分の拡散を抑制するシートと、シートの下で舞い上がる細粒成分を効率よく回収する回収箱とを備えることにより、整地作業中に舞い上がる細粒成分の拡散を防止するとともに、舞い上がった細粒成分を効率よく回収する整地器具並びに整地器具に使用する丈夫で砂の付きにくい整地器具用シートに関する。
【背景技術】
【０００２】
土や砂が敷き詰められた各種競技場において、競技に使用されることによって競技場の地面に凹凸が生じるなど表面状態が悪化し、競技の合間や使用後に競技場の整備が必要となることが有る。特に重量が重い上に蹄鉄を付けた馬が疾走する競馬場のダートコースでは、レース後の競技場には凹凸が発生しやすい。競馬場に限らず、競技場の表面が荒れた状態で競技が行われると、競技者や競走馬は足をくじいたり転倒したりして大きな事故につながりかねないことから、競技場の整地は一つの重要な課題である。
【０００３】
また競馬場のダートコースに敷き詰められた砂は、疾走する馬に対して脚を保護するクッション材の役割を持っているが、繰り返し使用し続けると、疾走する馬の衝撃で砂が砕かれ、次第に細粒化してダートコースのコンディションが変化してしまう。また、砂の細粒化が進むとレースの際に舞い上がる砂塵が激しくなり、レース中の馬や騎手に限らず観客の方にも飛来して、視界が低下したり呼吸器などに悪影響を及ぼしたりする可能性が高くなる。このため競馬場では定期的に砂洗浄を実施して、シルトなどの砂の細粒成分を除去することが行われ、砂の成分調整も重要な管理項目の一つとなっている。
【０００４】
土や砂が敷き詰められた各種競技場の整地の方法としては、レーキと呼ばれる器具に代表されるように、複数の突起体を備える器具で、荒れた競技場の地面を掻き均す方法が挙げられる。土や砂が乾燥した状態でこうした突起体を備える器具で荒れた競技場の地面を掻き均すと土ほこりや砂の細粒成分が舞い上がり、作業環境上好ましくない。
【０００５】
特許文献１はこうした整地作業上の課題を解決するために考案されたものであり、特許文献１には、牽引式のグラウンド整備作業機であって、グラウンドの土掻きほぐし用レーキとその後の地均らし用フィニッシャーとを備え、これらをトップカバーと左右両サイドカバーとにより、背面視でほぼ倒立Ｕ字形の風洞によって包囲し、風洞のトップカバー上へ点在するように設置した複数の水噴射ノズルから、その風洞の後出口部やその周辺部へ水を噴霧させることにより、レーキとフィニッシャーの作用中にグラウンドから立ち昇る土ほこりを抑制する牽引式のグラウンド整備作業機が開示されている。
【０００６】
特許文献１に記載の発明によれば、整備作業機の主要部分はカバーで覆われ、また水を噴霧しながら整地作業を行うため、土ほこりが抑制される。
しかし、競馬場のダートコースの整備では、コース上の砂が必要以上に湿ってしまうと、馬の疾走に伴って跳ね上げられた湿った砂が、騎手のゴーグルに付着してしまうという弊害もあるため、むやみに水を撒くことができない。また、特許文献１に記載の発明では、整地作業は行えても砂の細粒成分はそのまま残るため、別途の定期的な砂洗浄の実施は不可欠である。
【０００７】
そこで水を撒かなくても、覆いによって整地作業中に舞い上がる細粒成分の拡散を防止するとともに、舞い上がった細粒成分を効率よく回収する整地器具の提供が望まれる。
尚、細粒成分を回収する上で考慮すべき課題がある。それはシルトなどの砂の細粒成分は舞い上がりやすいという性質の他に、静電気等で様々な物質の表面に付着しやすいという性質を備えていることである。舞い上がった細粒成分が覆いなどに大量に付着してしまうと、最終的に整地器具自体の洗浄などが必要となってしまう。
このため整地作業中に舞い上がる細粒成分の拡散を防止する覆いは軽くて丈夫な上に砂が付きにくいなどの特性を有することが望まれる。
【先行技術文献】
【特許文献】
【０００８】
【特許文献１】特開２０１１−００１７６８号公報
【発明の概要】
【発明が解決しようとする課題】
【０００９】
本発明は、上記従来の整地器具における問題点に鑑みてなされたものであって、本発明の目的は、競技場の土や砂を突起体にて掻いて均す際に発生する砂塵の細粒成分の拡散を抑制するシートと、シートの下で舞い上がる細粒成分を回収する回収箱とを備えることにより、整地作業中に舞い上がる細粒成分の拡散を防止するとともに、舞い上がった細粒成分を効率よく回収する整地器具を提供することにある。
また本発明の目的は、競技場の整地を行う整地器具に使用する整地器具用シートであって、丈夫で砂の付きにくい整地器具用シートを提供することにある。
【課題を解決するための手段】
【００１０】
上記目的を達成するためになされた本発明による整地器具は、牽引車によって牽引され、移動しながら競技場の整地を行う整地器具であって、競技場の土や砂を掻いて均す複数の突起体を備える枠体と、前記枠体上を覆い、前記複数の突起体によって舞い上げられる土又は砂の拡散を防止するシートと、前記複数の突起体によって舞い上げられる土又は砂の細粒成分が牽引に伴って発生する風によって運ばれていく先である前記枠体の後端側に備えられ前記細粒成分を回収する回収箱と、を有することを特徴とする。
【００１１】
前記シートは、前記枠体後方に設けられる支持フレームにより前記枠体の前方側より後方側が高くなり、後端部が下方に延長されて所定の空間を形成するように設置され、前記シートの後端部には移動に伴い前記シートの下方の空気を後方に排出する開口部と開口部を覆うフィルターとを備えることが好ましい。
前記回収箱は前記シートの後端部の下縁を跨ぐように設置され、前記シートの下方で舞い上げられた細粒成分と、前記シートの後端部のフィルターを通過した後舞い降りる細粒成分とを合わせて回収することが好ましい。
前記回収箱は、前記シートの後端部に対し所定の間隙をもって延在される後面壁を有することが好ましい。
【００１２】
上記目的を達成するためになされた本発明による整地器具用シートは、競技場の整地を行う整地器具に使用する整地器具用シートであって、ＪＩＳ  Ｌ１０９２：２００９はっ水度試験（スプレー試験）に準じた試験で４級以上の撥水性能と、砂塵付着試験（小松ＪＲＡ法）にて４級以上の砂の付きにくさと、を有し、前記整地器具用シートは、摩耗輪：Ｎｏ．ＣＳ−１７、荷重：９．８Ｎを用いたＪＩＳ  Ｌ１０９６：２０１０摩耗強さＣ法（テーバ形法）に準じた試験で、３００回の試験後に穴あきが確認されないことを特徴とする。
【００１３】
前記整地器具用シートは、繊維布帛であり、素材がポリエステルからなることが好ましい。
前記整地器具用シートは、表面に撥水剤と架橋剤とが存在することが好ましい。
前記整地器具用シートは、ＫＥＳ法によるシートの表面粗さの平均偏差が経方向、緯方向ともに０．３μｍ以上５．０μｍ以下であることが好ましい。
前記整地器具用シートは、摩擦帯電圧が経方向、緯方向ともに１０００Ｖ以下であることが好ましい。
前記整地器具は、上記いずれかのシートであることが好ましい。
【発明の効果】
【００１４】
本発明に係る整地器具によれば、競技場の土や砂を掻いて均す複数の突起体を備える枠体の上方は砂塵の細粒成分の拡散を抑制するシートにより覆われているので、競技場の整地の際に舞い上がった土や砂の細粒成分が広く拡散するのを防ぐことが可能となり、またこれにより水を散布しなくても競技場の整地が行い易くなる。
【００１５】
また、本発明に係る整地器具によれば、競技場の整地の際、突起体によって舞い上げられる土又は砂の細粒成分が風に乗って整地器具後方に運ばれ、シート後端部に突き当たって下方に向かった先に回収箱を備えるため、土や砂の細粒成分を効率よく回収することが可能となる。その結果、細粒成分を取り除くための定期的な砂の洗浄の頻度を低減することができる。
【００１６】
本発明に係る整地器具用シートによれば、砂が付きにくくなるように形成されているため、競技場の整地の際に舞い上がった土や砂の細粒成分は、風の流れに沿って整地器具用シートの後端部に到達しても整地器具用シートに付着しがたく、効率的に整地器具の回収箱に回収される。
【００１７】
また本発明に係る整地器具用シートによれば、撥水性を有しているために雨の中で整地作業を行っても整地器具用シートが水を吸って重くなったり、砂が付着しやすくなったりするのを防止する効果がある。更に整地器具用シートは耐摩耗性を有するため繰り返し使用しても穴の発生を抑え、長期にわたり土や砂の細粒成分が広く拡散するのを抑制することが可能である。
【図面の簡単な説明】
【００１８】
【図１】本発明の実施形態による整地器具の断面構造を概略的に示す図である。
【図２】本発明の実施形態による整地器具の枠体に回収箱を取り付けた状態を示す斜視図である。
【図３】本発明の実施形態による整地器具の枠体に回収箱と支持フレームを取り付けた状態を示す斜視図である。
【図４】本発明の実施形態による整地器具の図３の構造にシートを取り付けた状態を示す斜視図である。
【図５】本発明の実施形態による整地器具の実使用状態を概略的に示す外観図である。
【図６】本発明の実施形態による整地器具用シートの砂塵付着試験（小松ＪＲＡ法）の試験方法を説明するための図である。
【発明を実施するための形態】
【００１９】
次に、本発明に係る整地器具及び整地器具用シートを実施するための形態の具体例を、図面を参照しながら詳細に説明する。
本発明に係る整地器具は、牽引車によって牽引される枠体の下方に設けられた突起体により、競技場の土や砂を掻いて均す際に舞い上がる土や砂の細粒成分を、枠体の上方より覆うシートで拡散を防止するとともに、シートの下で浮遊する細粒成分を、牽引に伴って発生する風に運ばれていく先である枠体の後方部に設けた回収箱によって回収することにより、競技場の整地を行いながら競技場に不要な土や砂の細粒成分を回収する整地器具である。
【００２０】
図１は本発明の実施形態による整地器具の断面構造を概略的に示す図であり、図２は本発明の実施形態による整地器具の枠体に回収箱を取り付けた状態を示す斜視図である。
図１を参照すると、本発明の実施形態による整地器具１は、整地器具１の骨格部分をなす枠体１０、枠体１０の下方に設けられる複数の第１突起体３１、枠体１０の後方上部に設けられる支持フレーム５０、枠体１０と支持フレーム５０との上方を覆うシート２０、及びシート２０の後端部２１の下方に設けられる回収箱４０を備える。
【００２１】
枠体１０は図２に示すように、格子状に組み合わされたＬ字鋼や溝形鋼などの形鋼などからなる構造体である。枠体１０の大きさは対象となる競技場の種類や大きさによるが、競馬場などの大規模な競技場を対象とする場合は横幅３〜４ｍ、奥行き１〜２ｍ程度の大きさが求められる。
【００２２】
整地器具１は、牽引車によって牽引されて使用されるが、枠体１０は、進行方向と直交する方向に延在する複数本の横枠と、進行方向と平行する方向に延在する複数本の縦枠とで構成される。また進行方向前端の横枠には牽引車にチェーンやロープ等を使って連結するための貫通孔を備える連結部１１が設けられる。
【００２３】
枠体１０の複数本の横枠のうちの少なくとも１本の下面には横枠の長手方向、即ち整地器具１の進行方向と直交する方向に沿って複数の第１突起体３１が備え付けられる。図２に示す実施形態では枠体１０には４本の横枠が備えられ、４本とも下面に複数の第１突起体３１が設けられる。
【００２４】
複数の第１突起体３１は、競技の合間や競技後の荒れた競技場の表面を掻き均す役割を果たすものであり、競技場の表面を掻き均す先端付近は棒状又は細長い平板状に形成される。先端付近が平板状に形成される場合、平板の向きは整地器具１の進行方向に沿う方向に取り付けられてもよいし、進行方向に対し所定の角度だけ軸周りに回動して取り付けられてもよい。また枠体１０の横枠が複数あり、第１突起体３１がそれぞれの横枠に設けられる場合、第１突起体３１の平板状の先端部の回動する向きは横枠毎に変えるように取付けられてもよい。
【００２５】
複数の第１突起体３１は、枠体１０の横枠に等間隔に取り付けられるが、複数の横枠にそれぞれ複数の第１突起体３１が取り付けられる場合、横枠毎の複数の第１突起体３１は整地器具１の進行方向から見て重なり合うような位置に取り付けられてもよいし、横枠毎に重なり合わないようにずらして取り付けられてもよい。
【００２６】
整地器具１が牽引されて進行方向に移動すると、複数の第１突起体３１が競技場の地面を掻き均すが、その際、競技場の地面が乾燥していると競技場の土や砂の細粒成分が舞い上がる。枠体１０は格子状に構成され、隣接する横枠間および隣接する縦枠間によって囲まれる矩形の孔が複数開口しているため、舞い上がった土や砂の細粒成分は矩形の孔を抜けて枠体１０上に拡散する。しかし枠体１０の上部にはシート２０が所定の空間を形成して覆うように設けられているので、舞い上がった土や砂の細粒成分の拡散はシート２０により抑制される。
【００２７】
シート２０は、枠体１０の後方に設けられる支持フレーム５０により枠体１０の前方側より後方側が高くなり、シート２０の後端部２１が下方に延長されてシート２０の下方に所定の空間を形成するように設置される。
【００２８】
またシート２０の後端部２１には、進行方向前方から舞い込んだ風が抜けていくための開口部２２が設けられ、開口部２２はフィルター２３によって覆われる。このため開口部２２からはフィルター２３によりろ過された空気が流出する。しかしフィルター２３のメッシュを細かくしすぎるとすぐに詰まってしまい空気抜きの効果が期待できなくなる。そこで空気の抜けに支障が起きない範囲でフィルター２３のメッシュの大きさを調整するのが好ましい。
【００２９】
支持フレーム５０は枠体１０の後方上部に設けられ、シート２０をかぶせた時に後方側が高くなり、シート２０の下に所定の空間が形成されるようにシート２０を支持するものである。このように後方が高くなるようにシート２０を支持するのは、舞い上がった土や砂の内、粒径の細かいものほど落下せずに風に乗って高く、また遠くに運ばれる性質を利用して、競技場に不要な土や砂の細粒成分を効率的に回収するためである。尚、ここで回収して除去する対象の細粒成分は凡そ０．０７５ｍｍ以下のものである。
【００３０】
回収箱４０は、枠体１０の後方側に取り付けられ、複数の第１突起体３１によって舞い上げられた土や砂の細粒成分を回収する。舞い上げられた土や砂の細粒成分はシート２０の下の所定の空間内を風に乗って後方に運ばれ、シート２０の後端部２１に行き当たって下方に向かうので、回収箱４０はシート２０の後端部２１の下方に設けられる。
【００３１】
回収箱４０の後方側の壁面にはシート２０の後端部２１の下縁に設けられるゴムフック２４を取り付けるためのシート取付けフック４２が備え付けられる。ゴムフック２４によって取り付けられた後のシート２０の後端部２１の下縁は回収箱４０の開口部に位置するため、回収箱４０はシート２０の後端部２１の下縁を跨ぐように設置されることになる。
【００３２】
整地器具１の移動に伴い、シート２０の下に前方より進入する風の一部はシート２０に設けられたフィルター２３を通過して後方に流出していくが、前述のようにフィルター２３のメッシュを、土や砂の細粒成分を全て捕捉するほど細かくするのは難しい。そのため土や砂の細粒成分の一部はフィルター２３を通過して後方に流出する。このときフィルター２３によって風の流速が低下することからフィルター２３を通過した後に落下してくる土や砂の細粒成分も存在する。フィルター２３を通過した後に落下してくる土や砂の細粒成分はシート２０の後端部２１の外表面に沿って下降してくるが、回収箱４０がシート２０の後端部２１の下縁を跨ぐように設置されるため、このような土や砂の細粒成分も回収箱４０に回収される。
【００３３】
実施形態では、回収箱４０の後面壁４１はシート２０の後端部２１に対し所定の間隙をもって延在される。これによりフィルター２３を通過した土や砂の細粒成分の多くは回収箱４０の後面壁４１とシート２０の後端部２１とに挟まれる通路にガイドされながら回収箱４０に回収される。
【００３４】
シート２０の後端部２１に対し所定の間隙をもって延在される後面壁４１は地面に対して垂直な壁面から前傾して折れ曲がるように延在されるが、この時の地面に対して垂直な壁面からの折り曲げ角度は実験の結果から２０°〜３０°が土や砂の細粒成分の回収性がよく、好ましい。
【００３５】
また回収箱４０の前面壁は回収箱４０の底面から後傾するように設けられる。これは舞い上げられた土や砂の細粒成分が風によって後方に運ばれる際、回収箱４０の前面壁をなだらかに乗り越えて回収箱４０の中に収納されるようにするためである。回収箱４０の前面壁を傾ける際の地面に対して垂直な壁面からの傾き角は、実験の結果から１０°〜３０°が好ましい。
回収された土や砂の細粒成分６０は整地作業終了後纏めて廃棄される。
【００３６】
実施形態では回収箱４０の更に後方には複数の第２突起体３２が設けられる。複数の第２突起体３２は棒状に形成され、中実又は中空の角柱体の長手方向に等間隔に整列して設けられる。角柱体はさらにアングル１２を介して枠体１０に取り付けられる。
第２突起体３２は、第１突起体３１が掻いて均した競技場の表層をさらに均す役割を果たす。このように整地器具１は突起体３０を２種類、即ち第１突起体３１と第２突起体３２とを備えることにより、良好な整地面を提供することができる。
【００３７】
図３は本発明の実施形態による整地器具の枠体に回収箱と支持フレームを取り付けた状態を示す斜視図である。
図３を参照すると支持フレーム５０は枠体１０の進行方向に対する後方側に設けられる。
【００３８】
図３では支持フレーム５０は後方側がアングル１２の上に乗り、回収箱４０の上に掛かるように設置されているが、上からシート２０をかぶせた際に、シート２０の後端部２１の下縁が回収箱４０の開口部に掛かるような位置関係になればよいので、枠体１０の上にすべてが乗るように設けられてもよい。
また図３では支持フレーム５０は左右に２か所設置され、その間が抜けたようになっているが、実施形態では左右の支持フレーム５０の上部同士を図示しないポール又はワイヤで接続し、この部分に掛かるシート２０が垂れ下がらないように支持する。
【００３９】
整地器具１は蹄鉄による蹴り跡などの競技場の荒れを掻いて均すため、ある程度の深さまで第１突起体３１の先端が潜るような重量が必要であるが、重くなりすぎると牽引するのも容易ではない。
そこで実施形態では、支持フレーム５０はＧ−ｆｕｎ（登録商標）などで代表される軽量のアルミニウム材を使用し、回収箱４０も軽くて強度のあるプラスチック段ボールなどにより形成することで軽量化を図っている。枠体１０についても軽量化のため一部または全部を軽量のアルミニウム材などで構成してもよい。
【００４０】
図４は、本発明の実施形態による整地器具の図３の構造にシートを取り付けた状態を示す斜視図である。
図４を参照すると、シート２０は左右の側面から見て支持フレーム５０の上部が上底、枠体１０の上面が下底となる略台形を示すような形に取り付けられる。これにより略台形を示す左右の側面で挟まれた略台形柱の部分が前述の所定の空間に相当する。
【００４１】
図４の実施形態では両端の支持フレーム５０の外側の部分、即ち台形柱の左右両側にはみ出た耳状の部分は枠体１０の上部を平面的に覆うように取付けられる。
他の実施形態では、両端の支持フレーム５０を枠体１０の幅と同一になるように設置して、全体が台形柱の形状となるように取付けてもよい。
【００４２】
図５は本発明の実施形態による整地器具の実使用状態を概略的に示す外観図である。
図５を参照すると、本発明の実施形態による整地器具１は、連結部１１に連結された牽引用のチェーンを図示しない牽引車に連結し、右向きの矢印の方向に牽引されて使用される。
図５の実施形態では第１突起体３１により舞い上げられた土又は砂の細粒成分を回収する回収箱４０は３個備えられ、それぞれの回収箱４０の上部に合わせてシート２０の後端部２１には３個のフィルター２３が設けられているが、回収箱４０の数はこれに限らず、整地器具１の大きさに合わせて３個より多くても少なくてもよい。ただしフィルター２３を通過した後の土又は砂の細粒成分の回収を考慮すると、フィルター２３は回収箱４０の開口の位置に合わせて設けるのが好ましい。
【００４３】
以上図１〜５の説明ではシート２０の特性については触れなかったが、土や砂の細粒成分は舞い上がりやすいという性質の他に、乾燥状態では静電気等で、湿った状態では水分によって様々な物質の表面に付着しやすい性質があるために、シート２０は軽くて丈夫な上に乾燥状態でも吸湿状態でも砂が付きにくいなどの特性を有することが望まれる。
そこでシート２０に関しては撥水性能、砂の付きにくさ、耐摩耗性、表面粗さ、摩擦帯電圧の観点から整地器具１に好適なシート２０の選定を行った。
以下にそれぞれの観点における試験方法と実施例について説明する。尚、以下の試験方法及び実施例の説明における「％」は、「質量％」を意味する。
【００４４】
＜撥水性能＞
撥水性能は、ＪＩＳ  Ｌ１０９２：２００９に記載のはっ水度試験（スプレー法）に準じて測定した。
【００４５】
＜砂の付きにくさ＞
砂の付きにくさは、以下の砂塵付着試験（小松ＪＲＡ法）にて行った。
図６は本発明の実施形態による整地器具用シートの砂塵付着試験（小松ＪＲＡ法）の試験方法を説明するための図である。
まず、東京競馬場ダートコースに使用されているシルト（粒径１／１６〜１／２５６ｍｍ）を２〜３％含む砂からなる試験用砂塵７３と、６ｃｍ×６ｃｍに切り出したシート試験片７２の３枚とを、２０℃×６５％ＲＨの環境下で２４時間以上静置して調湿する。調湿後のシート試験片７２をガラス板７１の上にしわを生じさせないように載せて固定し、３０°の角度となるようガラス板７１の一端を持ち上げた状態で保持する。ＪＩＳ  Ｌ１０９２：２００９に記載のはっ水度試験（スプレー法）で用いた漏斗からスプレーノズルを取り外したものと同形の漏斗７０を用い、ガラス板７１上のシート試験片７２の中心部に高さ１０ｃｍから試験用砂塵７３が落ちるよう試験装置を組み立て、漏斗７０に１０ｇの試験用砂塵７３を注いでシート試験片７２の中央に試験用砂塵７３を落とす。試験用砂塵７３が落ち切った後、シート試験片７２の角を片手でつまみ上げ、対角部を指ではじいて試験用砂塵７３を払う。次に指ではじいた角を片手で持ち、同様に対角部を指ではじく。試験用砂塵７３を払った後、シート試験片７２の汚染度を以下の級判定基準と比較し、判定する。ただし、中間の格付けは行わない。
１級：粒径の大きな砂が多数付着している。
２級：粒径の小さな砂が多数付着している。
３級：粒径の小さな砂が付着している。
４級：粒径の小さな砂がわずかに付着している。
５級：砂が付着していない。
【００４６】
＜耐摩耗性＞
耐摩耗性は、ＪＩＳ  Ｌ１０９６：２０１０に記載の摩耗強さＣ法（テーバ形法）に準じて試験を行い、シートに穴が開くまでの回数（１００回ごとにシートに穴あきが発生したかを確認し、穴あきが確認された直前の回数）を測定することにより評価した。なお、測定時に使用した摩耗輪はＮｏ．ＣＳ−１７、荷重９．８Ｎとした。
【００４７】
＜表面粗さ＞
シートの表面粗さは、ＫＥＳ法により測定したシート表面の表面粗さの測定値から平均偏差を計算することで求めた。具体的には、２０℃×６５％ＲＨの環境下で、２０ｃｍ×２０ｃｍに切り出したシートを、カトーテック株式会社製ＫＥＳ−ＦＢ４−Ａに４００ｇｆ／ｃｍの張力をかけ取り付ける。０．５ｍｍφのピアノ線を５ｍｍ幅に１本折り曲げた摩擦子に１０ｇｆでシートに圧着する。圧着させた摩擦子を１．０ｍｍ／秒の速度で水平に２ｃｍ移動させてシート表面の表面粗さを測定する。なお、測定はシートの経方向、緯方向それぞれで行う。
【００４８】
＜摩擦帯電圧＞
摩擦帯電圧は、ＪＩＳ  Ｌ１０９４：２０１４に記載のＢ法（摩擦帯電圧測定法）に準じて測定した。
【００４９】
以上の様な各種試験方法による評価に対し、本発明の実施形態による整地器具用シートは、ＪＩＳ  Ｌ１０９２：２００９はっ水度試験（スプレー試験）に準じた試験で４級以上（４〜５級）の撥水性能と、砂塵付着試験（小松ＪＲＡ法）にて４級以上（４〜５級）の砂の付きにくさと、を有し、雨の中でも濡れて重くなることを抑制し、又湿った土や砂が跳ね上がっても付着しにくい。一方乾燥したコンディションでの整地作業においても舞い上がった土や砂の細粒成分が付着するのを防ぐことができる。
【００５０】
本発明の実施形態による整地器具用シートは、摩耗輪：Ｎｏ．ＣＳ−１７、荷重：９．８Ｎを用いたＪＩＳ  Ｌ１０９６：２０１０摩耗強さＣ法（テーバ形法）に準じた試験で、３００回の試験後に穴あきが確認されないだけの耐久性を有するため、長期間にわたり繰り返し使用することができる。
【００５１】
さらに本発明の実施形態による整地器具用シートは、ポリエステル素材の繊維布帛であり、表面に撥水剤、好ましくは撥水剤と架橋剤（撥水剤と架橋剤との反応生成物を意味する）とが存在することにより上記の様に撥水性、好ましい形態では撥水性や耐久性を確保することができる。
【００５２】
また、本発明の実施形態による整地器具用シートは、ＫＥＳ法によるシートの表面粗さの平均偏差が経方向、緯方向ともに０．３μｍ以上５．０μｍ以下の平滑な表面を有するとともに摩擦帯電圧が経方向、緯方向ともに１０００Ｖ以下であるため舞い上がった土や砂の細粒成分が付着しにくい。
【００５３】
＜実施例１＞
ポリエステルの平織生地（繊維太さ：経糸８３デシテックス／７２フィラメント、緯糸８３デシテックス／７２フィラメント。繊維密度：経糸１１０本／２．５４ｃｍ、緯糸９３本／２．５４ｃｍ、目付：４０．４ｇ／ｍ２）を分散染料でベージュ色に染色した。次いでこのポリエステル生地に、パーフルオロオクタン酸（ＰＦＯＡ）非含有フッ素系撥水剤（固形分２５％）を濃度５％、およびナイスポール  ＦＥ−２６（帯電防止剤、日華化学株式会社製、固形分２１％）を濃度１％となるように調整した水溶液を用いて撥水加工を行ってから、１４０℃、圧力（線圧）１２８ｋｇｆ／ｃｍにてカレンダー加工した。
【００５４】
得られたシートの撥水性能は４級であり、砂の付きにくさは４級であり、耐摩耗性は６００回であり、表面粗さの平均偏差は経１．１７μｍ×緯１．１３μｍであり、摩擦帯電圧は４００Ｖであった。
【００５５】
＜実施例２＞
実施例１の撥水加工時の水溶液に、さらにＮＫアシスト  ＩＳ−８０Ｄ（イソシアネート架橋剤、日華化学株式会社製、固形分８０％）を濃度０．２％となるよう添加した以外は、実施例１と同様にしてシートを作製した。
【００５６】
得られたシートの撥水性能は５級であり、砂の付きにくさは４級であり、耐摩耗性は６００回であり、表面粗さの平均偏差は経１．２６μｍ×緯１．２１μｍであり、摩擦帯電圧は５００Ｖであった。
【００５７】
上記の実施例２と同じシートを使用して図１に示すような整地器具１を製作し、ダートコース１周（１６００ｍ）の走行をした結果、ダートコースの砂の細粒成分１．５ｋｇの回収が認められた。通常ダートコースの管理では、砂の粒度分析において、細粒化粒径通過率（０．０７５ｍｍ）で３．３％程度のものを定期的な砂洗浄により０．１％程度まで低減させている。しかし、上記の様に本発明の実施形態による整地器具１で整地することにより、細粒成分の回収も同時に行えることから、整地器具１の適用により定期的な砂洗浄の頻度を低減できる効果が期待できることが判明した。
【００５８】
以上、本発明の実施形態について図面を参照しながら詳細に説明したが、本発明は、上述の実施形態に限定されるものではなく、本発明の技術的範囲から逸脱しない範囲内で多様に変更することが可能である。
【符号の説明】
【００５９】
１    整地器具
１０    枠体
１１    連結部
１２    アングル
２０    シート
２１    後端部
２２    開口部
２３    フィルター
２４    ゴムフック
３０    突起体
３１    第１突起体
３２    第２突起体
４０    回収箱
４１    後面壁
４２    シート取付けフック
５０    支持フレーム
６０    回収された土や砂の細粒成分
７０    漏斗
７１    ガラス板
７２    シート試験片
７３    試験用砂塵
【図１】
0006929921.tif 000002
【図２】
0006929921.tif 000003
【図３】
0006929921.tif 000004
【図４】
0006929921.tif 000005
【図５】
0006929921.tif 000006
【図６】
0006929921.tif 000007